(57)【要約】【課題】フレキシブルな構造を有する小型サイズの送信用モジュールを提供する。【解決手段】人体からの情報を抽出するセンサ部１５と、このセンサ部１５からの抽出信号を蓄える通信制御部１７と、この通信制御部１７からの信号を変調信号に変換する通信部１９と、変調信号が送信されるアンテナ部２１を備え、少なくとも通信制御部１７と通信部１９への電源供給を制御する電源制御部２３と、この電源制御部２３の一方の入力に電源が供給される太陽電池２５と、電源制御部の他方の入力に電源が供給される燃料電池２７を設け、太陽電池２５、燃料電池２７をフレキシブルな基材１３の一方の端部、他方の端部にそれぞれ配置する。  これにより、所期の目的を達成することができる。【選択図】図１
2010188032.tif 000002
【特許請求の範囲】
【請求項１】
人体からの情報を抽出するセンサ部と、前記センサ部からの抽出信号を蓄える前記通信制御部と、前記通信制御部からの信号を変調信号に変換する前記通信部と、前記変調信号が送信されるアンテナ部を備え、少なくとも前記通信制御部と前記通信部への電源供給を制御する電源制御部と、前記電源制御部の一方の入力に電源が供給される第１の電力回生部と、前記電源制御部の他方の入力に電源が供給される第２の電力回生部を設け、前記第１、第２の電力回生部をフレキシブルな第１の基材の一方の面に配置した送信用モジュール。
【請求項２】
前記第１、第２の電力回生部のうちの一方に色素増感太陽電池を用い、他方に燃料電池を用いた請求項１に記載の送信用モジュール。
【請求項３】
前記第１の基材の長手方向の一方の端部に前記第１の電力回生部を設け、前記第１の基材の長手方向の他方の端部に前記第２の電力回生部を設け、前記第１の電力回生部と前記第２の電力回生部の間に、少なくとも前記通信制御部と前記通信部を設けた請求項１に記載の送信用モジュール。
【請求項４】
前記第１の基材の長手方向の一方の端部に前記第１、第２の電力回生部の一方を設け、前記第１の基材の長手方向の他方の端部に少なくとも前記通信制御部と前記通信部を設けた請求項１に記載の送信用モジュール。
【請求項５】
前記基材の長手方向に沿って前記アンテナ部を設けた請求項３、または請求項４に記載の送信用モジュール。
【請求項６】
前記基材の短手方向に沿って前記アンテナ部を設けた請求項３、または請求項４に記載の送信用モジュール。
【請求項７】
前記第１の基材の他方の面に前記センサー部を設けた請求項３、または請求項４に記載の送信用モジュール。
【請求項８】
前記第１の基材の他方の面に、少なくとも前記通信回路部の装着部に対応して前記第１の基材よりも応力に対する曲げの小さい第２の基材を設けた請求項３、または請求項４に記載の送信用モジュール。
【請求項９】
前記アンテナ部は、前記第１の基材の一方の面に配置した第１のアンテナと、この第１のアンテナに対向させて前記第１の基材の他方の面に配置した第２のアンテナから構成される請求項１に記載の送信用モジュール。
【請求項１０】
前記第２のアンテナに近接して前記第１の基材と反対側に絶縁性の接着材料が設けられた請求項９に記載の送信用モジュール。
【発明の詳細な説明】
【技術分野】
【０００１】
本発明は、高周波信号の送信を可能としたフレキシブルな構造を有する小型サイズの送信用モジュールに関するものである。
【背景技術】
【０００２】
患者の体に関する人体情報を検査するために、送信用モジュールを体の一部に貼り付けて、この送信用モジュールと通信用機器との間で高周波信号を通信し、人体情報を検査する通信用装置がある。
【０００３】
この通信用装置に用いる送信用モジュールは、人体からの情報を抽出するセンサ部と、このセンサ部からの抽出信号を蓄える通信制御部と、この通信制御部からの信号を変調信号に変換する通信部と、この変調信号が送信されるアンテナ部と、前記センサ部と前記通信制御部と前記通信部に電源電圧を供給するボタン電池等の電池部を設けていた。
【０００４】
なお、この出願の発明に関連する先行技術文献情報としては、例えば、特許文献１が知られている。
【特許文献１】特開２００６−３０３７７３号公報
【発明の開示】
【発明が解決しようとする課題】
【０００５】
しかしながら、このような従来の送信用モジュールでは、ボタン電池等の電池部を用いているため、体の曲線部である腕や足に自由に装着できなかった。
【０００６】
そこで本発明は、この問題を解決したもので、体に自由に装着できるフレキシブルな構造を有する小型化サイズの送信用モジュールを提供することを目的としたものである。
【課題を解決するための手段】
【０００７】
この目的を達成するために本発明の送信用モジュールは、少なくとも通信制御部と通信部への電源供給を制御する電源制御部と、前記電源制御部の一方の入力に電源が供給される第１の電力回生部と、前記電源制御部の他方の入力に電源が供給される第２の電力回生部を設け、前記第１、第２の電力回生部をフレキシブルな基材の一方の面に配置する。
【０００８】
これにより、所期の目的を達成することができる。
【発明の効果】
【０００９】
本発明の送信用モジュールは、少なくとも通信制御部と通信部への電源供給を制御する電源制御部と、前記電源制御部の一方の入力に電源が供給される第１の電力回生部と、前記電源制御部の他方の入力に電源が供給される第２の電力回生部を設け、前記第１、第２の電力回生部をフレキシブルな基材の一方の面に配置する。
【００１０】
これにより、体に自由に装着できるフレキシブルな構造を有する小型化サイズの送信用モジュールを提供することができる。
【発明を実施するための最良の形態】
【００１１】
（実施の形態１）
図１（ａ）は、本発明の実施の形態１における送信用モジュール１１の上面から見た図であり、図１（ｂ）は、送信用モジュール１１のＡ―Ａ´の断面図であり、図１（ｃ）は、送信用モジュール１１のＢ―Ｂ´の断面図である。
【００１２】
図１（ａ）、（ｂ）、（ｃ）において、送信用モジュール１１は、人体からの情報を抽出するセンサ部１５と、このセンサ部１５からの抽出信号を蓄える通信制御部１７と、この通信制御部１７からの信号を変調信号に変換する通信部１９と、この通信部１９からの変調信号が送信されるアンテナ２１ａおよび２１ｂから構成されるアンテナ部２１と、通信制御部１７と通信部１９への電源供給を制御する電源制御部２３と、この電源制御部２３の一方の入力に電源が供給される第１の電力回生部である太陽電池２５と、電源制御部２３の他方の入力に電源が供給される第２の電力回生部である燃料電池２７から構成されている。
【００１３】
なお、センサ部１５と通信制御部１７と通信部１９により通信回路部２９が構成されている。
【００１４】
また、フレキシブルな基材１３の一方の面１３ａには、基材１３の一方の端部に太陽電池２５を配置し、基材１３の長手方向の他方の端部に燃料電池２７を配置し、太陽電池２５と燃料電池２７の間には通信回路部２９と電源制御部２３を配置し、基材１３の長手方向に沿ってアンテナ２１ａを配置する。
【００１５】
また、基材１３の他方の面１３ｂには、アンテナ２１ａに対向させてアンテナ２１ｂを設ける。なお、このアンテナ２１ａ、２１ｂのうちの一方のアンテナのみを動作させることも可能である。
【００１６】
このアンテナ２１ｂには、基材１３とは反対側にこの送信用モジュール１１を体の一部に装着させるための接着材料３１が設けられている。
【００１７】
また、基材１３の太陽電池２５と通信回路部２９との間、あるいは燃料電池２７と通信回路部２９との間にはスリット３３を設けている。このスリット３３を設けることにより、体に貼り付けた送信用モジュール１１が曲げられた場合においても、フレキシブルな太陽電池２５と燃料電池２７は曲げられるが、通信回路部２９への応力が緩和されるので、信頼性が向上する。
【００１８】
以上のように構成された送信用モジュール１１の実際の動作について、主に  図１（ａ）、（ｂ）を用いて以下説明する。
【００１９】
図１（ａ）、（ｂ）において、センサ部１５では血圧、体温、脈拍等の人体情報が検出される。この人体情報は、通信制御部１７に入力されて蓄えられ、さらにデジタル信号とされる。
【００２０】
このデジタル信号は通信部１９により送信用の変調信号とされる。この変調信号はアンテナ２１ａ、２１ｂからなるアンテナ部２１により送信される。このアンテナ２１ａ、２１ｂは、基材１３の長手方向に沿って平行に配置された平板アンテナとして用いることにより、低い周波数を用いた送信においても長さを確保することができる。
【００２１】
また、絶縁性を有する接着材料３１とすることにより、人体に貼り付けた場合には、電界方式の人体通信ができ、低消費電力化とできる。
【００２２】
さらに、電源制御部２３には、太陽電池２５と燃料電池２７からの電源電圧を入力２３ａ、２３ｂからそれぞれ供給している。この太陽電池２５は、昼間あるいは例えば蛍光灯の光により発電することができる。
【００２３】
例えば、太陽電池２５からの電圧がある一定電圧より低い電圧の場合には、燃料電池からの電源電圧に切替えて用いることができる。これにより、電源制御部２３から出力される電源電圧は、通信回路部２９に安定して供給される。
【００２４】
次に、主に図１（ａ）、（ｃ）を用いて、外部からの曲げに対してさらに強い構造について、以下説明する。
【００２５】
図１（ａ）、（ｃ）において、基材１３の他方の面１３ｂであって、少なくとも通信回路部２９の装着面に対応した面１３ｃに対して、基材１３よりも応力に対する曲げの小さい基材３７を装着している。
【００２６】
この基材３７を用いることにより、通信回路部２９を外部からの曲げに対して強い構造とした送信用モジュール１１を実現できる。
【００２７】
以上のように、フレキシブルな基材１３の一方の面１３ａ上であって、フレキシブルである太陽電池２５とフレキシブルである燃料電池２７を互いに基材１３の端部に配置し、これら太陽電池２５と燃料電池２７の間に通信回路部２９、電源制御部２３を配置している。
【００２８】
これにより、通信回路部２９を中心としてフレキシブルな構造を有する送信用モジュール１１を実現することができる。
【００２９】
なお、通信回路部２９のうちのセンサ部１５は、基材１３の一方の面１３ａに配置しなくてもよい。例えば、センサ部１５を他方の面１３ｂに配置することにより、人体に対して近接して配置できるので、人体情報を検出しやすい。また、例えばセンサ部１５にフレキシブルな部品を用いた場合には、基材１３の上に自由に配置することができ、またセンサ部１５は基材１３の外部に配置してもよい。
【００３０】
また、アンテナ２１ａに代わって、基材１３の短手方向に基材１３の端部にアンテナ２２ａ（図示せず）を設け、さらにアンテナ２１ｂに代わって、アンテナ２２ａに対向させてアンテナ２２ｂを設けてもよい。これにより、基材１３の面積を小さくできるので、小型サイズの通信モジュール１１を実現できる。
【００３１】
さらに、本実施例では、送信用モジュール１１と通信用機器との間で高周波信号を通信できる通信用装置としたが、送信用モジュール１１を送受信の可能な送受信用モジュールとしてもよい。
【００３２】
さらになお、太陽電池２５としては、色素による光合成を用いた色素増感太陽電池等を用いることができる。また、燃料電池２７としては、砂糖を原料とした砂糖電池等を用いることができる。
【００３３】
なお、燃料電池２７の内部に注入された燃料は寿命があるが、この場合には燃料電池２７を新しい物に交換することが可能なように、容易に交換ができる外部接続端子を設けてもよい。
【００３４】
（実施の形態２）
以下、本発明の実施の形態２について説明する。図２（ａ）は、本実施の形態における送信用モジュール５１の上面から見た図であり、図２（ｂ）は、送信用モジュール５１のＡ―Ａ´の断面図であり、図２（ｃ）は、送信用モジュール５１のＢ―Ｂ´の断面図である。
【００３５】
実施の形態１の送信用モジュール１１では、フレキシブルな基材１３の一方の面１３ａに対して、太陽電池２５と燃料電池２７の間に通信回路部２９を設けているのに対して、本実施の形態では、通信回路部２９を基材５３の一方の面５３ａの一方の端部に設けている点で異なる。
【００３６】
なお、図２（ａ）、（ｂ）、（ｃ）で使用した部品について、図１（ａ）、（ｂ）、（ｃ）と同じものについては同一の番号を付して説明を簡略化している。
【００３７】
図２（ａ）、（ｂ）において、フレキシブルな基材５３の一方の面５３ａにおいて、第１の電力回生部である太陽電池２５を基材５３の長手方向の一方の端部に配置し、通信回路部２９と電源制御部２３を基材５３の他方の端部に配置し、第２の電力回生部である燃料電池２７を太陽電池２５と通信回路部２９との間に設けている。
【００３８】
これにより、体に貼り付けた送信用モジュール５１が曲げられた場合においても、フレキシブルな太陽電池２５と燃料電池２７は曲げられるが、基材５３の端部に設けた通信回路部２９への応力が緩和されるので、信頼性が向上する。
【００３９】
また、接着材料５５を基材５３の他方の面５３ｂ側に設けている。この接着材料５５により、送信用モジュール５１を体の一部に装着させることができる。  
【００４０】
この接着材料５５は、他方の面５３ｂのうちの通信回路部２９、電源制御部２３の装着面を除いた部分に設けられている。つまり、体に貼り付けた送信用モジュール５１が曲げられた場合においても、フレキシブルな太陽電池２５と燃料電池２７は曲げられるが、通信回路部２９への応力が緩和されるので、信頼性が向上する。
【００４１】
また、基材５３の燃料電池２７と通信回路部２９との間にはスリット５７を設けている。このスリット５７を設けることにより、体に貼り付けた送信用モジュール５１が曲げられた場合においても、フレキシブルな太陽電池２５と燃料電池２７は曲げられるが、通信回路部２９への応力が緩和されるので、信頼性が向上する。
【００４２】
次に、図２（ａ）、（ｃ）を用いて、外部からの曲げに対してさらに強い構造について、以下説明する。
【００４３】
図２（ａ）、（ｃ）において、基材５３の他方の面５３ｂであって、少なくとも通信回路部２９の装着面に対応した面５３ｃに対して、基材５３よりも応力に対する曲げの小さい基材５９を装着している。
【００４４】
この基材５９を用いることにより、通信回路部２９を外部からの曲げに対して強い構造とした送信用モジュール５１を実現できる。
【００４５】
以上のように、フレキシブルな基材５３の一方の面５３ａにおいて、太陽電池２５を基材５３の長手方向の一方の端部に配置し、通信回路部２９と電源制御部２３を基材５３の他方の端部に配置し、燃料電池２７を太陽電池２５と通信回路部２９との間に設けている。なお、太陽電池２５と燃料電池２７を入れ替えてもよい。
【００４６】
これにより、体に貼り付けた送信用モジュール５１が曲げられた場合においても、フレキシブルな太陽電池２５と燃料電池２７は曲げられるが、通信回路部２９への応力が緩和されるので、信頼性が向上する。
【００４７】
従って、体に装着した場合においても、フレキシブルな構造を有する送信用モジュール５１を実現することができる。
【００４８】
なお、通信回路部２９のうちのセンサ部１５は、基材５３の一方の面５３ａに配置しなくてもよい。例えば、センサ部１５を他方の面５３ｂに通信回路部２９とは反対側に配置することにより、人体に対して近接して配置できるので、人体情報を検出しやすい。
【００４９】
この場合、例えばセンサ部１５にフレキシブルな部品を用いることにより、基材５３の上に自由に配置することができ、またセンサ部１５は基材５３の外部に配置してもよい。
【００５０】
また、アンテナ２１ａに代わって、基材５３の短手方向に基材５３の端部にアンテナ２２ａ（図示せず）を設け、さらにアンテナ２１ｂに代わって、アンテナ２２ａに対向させてアンテナ２２ｂを設けてもよい。これにより、基材５３の面積を小さくできるので、小型サイズの通信モジュールを実現できる。
【００５１】
さらになお、本実施例では、送信用モジュール５１と通信用機器との間で高周波信号を通信できる通信用装置としたが、送信用モジュール５１を送受信の可能な送受信用モジュールとしてもよい。
【産業上の利用可能性】
【００５２】
本発明の送信用モジュールは、フレキシブルな構造を有する小型サイズの送信用モジュールであり、患者の体に関する人体情報を検査する医療用機器として有用である。
【図面の簡単な説明】
【００５３】
【図１】（ａ）本発明の実施の形態１における送信用モジュールの上面図、（ｂ）同、送信用モジュールの断面図、（ｃ）同、送信用モジュールの断面図
【図２】（ａ）本発明の実施の形態２における送信用モジュールの上面図、（ｂ）同、送信用モジュールの断面図、（ｃ）同、送信用モジュールの断面図
【符号の説明】
【００５４】
１１  送信用モジュール
１３  基材
１５  センサ部
１７  通信制御部
１９  通信部
２１  アンテナ部
２３  電源制御部
２５  太陽電池
２７  燃料電池
【図１】
2010188032.tif 000003
【図２】
2010188032.tif 000004